(57)【要約】【課題】閉鎖型隔壁構造のプラズマディスプレイパネルにて発光効率を向上させる。【解決手段】ガラス基板１１上に表示電極１２、１３が形成された前面基板と、ガラス基板２１上に表示電極と直交する方向のアドレス電極２２及び放電空間を区画する隔壁２４が形成された背面基板とが放電空間３を介して封着されたプラズマディスプレイパネルにて、表示電極における金属電極の放電空間側に光反射層を備え、かつ隔壁を光透過性を有するようにして、蛍光体層で発光した光を反射させ、表示面における発光効率を向上できるようにする。【選択図】図３
2008091090.tif 000002
【特許請求の範囲】
【請求項１】
ガラス基板上に表示電極が形成された前面基板と、
ガラス基板上に上記表示電極と直交する方向のアドレス電極及び放電空間を区画する隔壁が形成された背面基板とを備え、上記前面基板と上記背面基板が放電空間を介して封着されたプラズマディスプレイパネルであって、
上記表示電極は、透明電極と金属電極からなり、当該金属電極は上記放電空間側に光反射層を有し、
上記隔壁は、上記表示電極が延びる方向の隔壁と上記アドレス電極が延びる方向の隔壁とからなり、かつ光透過性を有することを特徴とするプラズマディスプレイパネル。
【請求項２】
ガラス基板上に表示電極が形成された前面基板と、
ガラス基板上に上記表示電極と直交する方向のアドレス電極及び放電空間を区画する隔壁が形成された背面基板とを備え、上記前面基板と上記背面基板が放電空間を介して封着されたプラズマディスプレイパネルであって、
上記表示電極は、上記放電空間側に光反射層を有する金属電極からなり、
上記隔壁は、上記表示電極が延びる方向の隔壁と上記アドレス電極が延びる方向の隔壁とからなり、かつ光透過性を有することを特徴とするプラズマディスプレイパネル。
【請求項３】
上記隔壁は、上記表示電極が延びる方向に形成された隔壁のみ光透過性を有することを特徴とする請求項１又は２記載のプラズマディスプレイパネル。
【請求項４】
上記隔壁は、透光性のガラス材料を用いて構成されることを特徴とする請求項１〜３の何れか１項に記載のプラズマディスプレイパネル。
【請求項５】
上記表示電極は、隣接する電極のすべての電極間で表示ラインが形成されるように配列されていることを特徴とする請求項１〜４の何れか１項に記載のプラズマディスプレイパネル。
【発明の詳細な説明】
【技術分野】
【０００１】
本発明は、プラズマディスプレイパネルに関し、特に放電空間をセル毎に区画する閉鎖型隔壁構造のプラズマディスプレイパネルに用いて好適なものである。
【背景技術】
【０００２】
プラズマディスプレイパネル（ＰＤＰ：Plasma Display Panel）において、表示面における発光効率の向上は重要な課題の１つである。パネルの発光効率を改善する方法として、前面基板側に配置される表示電極における金属電極（バス電極）によって遮断される光を低減させることが挙げられる。
【０００３】
表示電極が延びる方向と直交する方向にのみ隔壁が形成されるストライプ型隔壁構造のプラズマディスプレイパネルにおいては、表示電極における金属電極（バス電極）は、セル対応の放電空間上に形成されていて発光を遮断する構成となっている。この構成において、金属電極の放電空間側に光反射膜を形成し、発光した光を反射させることで、表示面における発光効率を上げる技術が提案されている（特許文献１参照。）。
【０００４】
【特許文献１】特許第３６４７４９８号公報
【発明の開示】
【発明が解決しようとする課題】
【０００５】
しかしながら、格子状に、すなわち表示電極が延びる方向及び直交する方向に隔壁が形成される閉鎖型隔壁構造（ボックスリブ構造、ワッフルリブ構造、メッシュリブ構造などとも呼ばれる。）のプラズマディスプレイパネルにおいては、表示電極における金属電極（バス電極）は、隔壁上に形成される。そのため、上述のように金属電極の放電空間側に光反射膜を形成しても、発光効率を改善することはできない。
【０００６】
表示電極における金属電極（バス電極）の放電空間側に光反射膜を形成する方法は、ストライプ型隔壁構造のプラズマディスプレイパネルでは有効であるが、隔壁上に金属電極が配置される一般的な閉鎖型隔壁構造のプラズマディスプレイパネルにおいては有効な方法ではなかった。
本発明は、閉鎖型隔壁構造のプラズマディスプレイパネルにて発光効率を向上させることを目的とする。
【課題を解決するための手段】
【０００７】
本発明のプラズマディスプレイパネルは、ガラス基板上に表示電極が形成された前面基板と、ガラス基板上に表示電極と直交する方向のアドレス電極及び放電空間を区画する隔壁が形成された背面基板とを備え、前面基板と背面基板が放電空間を介して封着されたプラズマディスプレイパネルであって、表示電極は、放電空間側に光反射層を有する金属電極を少なくとも備え、隔壁は、表示電極が延びる方向の隔壁とアドレス電極が延びる方向の隔壁とからなり、かつ光透過性を有することを特徴とする。
【発明の効果】
【０００８】
本発明によれば、隔壁を光透過性を有する隔壁とし、かつ表示電極を構成する金属電極の放電空間側に光反射層を設けることにより、蛍光体層で発光した光を反射させ、表示面における発光効率を向上させることができる。
【発明を実施するための最良の形態】
【０００９】
以下、本発明の実施形態を図面に基づいて説明する。
【００１０】
（第１の実施形態）
図１は、本発明の第１の実施形態による３電極面放電型プラズマディスプレイパネルの構成例を示す分解斜視図である。
【００１１】
３電極面放電型のプラズマディスプレイパネルは、前面板１と背面板２が放電空間を介して封着剤で封着されている。放電空間には、ネオン（Ｎｅ）とキセノン（Ｘｅ）とを混合した放電ガスが封入されている。
【００１２】
前面板１は、前面ガラス基板１１上に、透明電極１２と金属電極（バス電極）１３からなる表示電極（サステイン電極ともいう。）が形成されている。表示電極（１２、１３）を覆うように、壁電荷が帯電する低融点ガラス等からなる誘電体層１４が表示電極上に被着されている。誘電体層１４により表示電極（１２、１３）は放電空間に対し絶縁される。さらに誘電体層１４を覆うように、マグネシア（ＭｇＯ）からなる保護膜１５が誘電体層１４上に被着されている。
【００１３】
背面板２は、背面ガラス基板２１上に、表示電極（１２、１３）と直交する方向に（交差するように）アドレス電極２２Ｒ、２２Ｇ、２２Ｂが形成されている。アドレス電極２２Ｒ、２２Ｇ、２２Ｂを覆うように、低融点ガラス等からなる誘電体層２３がアドレス電極２２Ｒ、２２Ｇ、２２Ｂの上に被着されている。
【００１４】
さらに誘電体層２３上には、格子状に配置された、すなわち放電空間をセル毎に区画する閉鎖型の隔壁（リブ）２４、及びカラー表示のための赤色（Ｒ）、緑色（Ｂ）、青色（Ｇ）の可視光を発光する蛍光体層２５Ｒ、２５Ｇ、２５Ｂが形成されている。対をなす表示電極（１２、１３）間の面放電で生じる紫外線によって蛍光体層２５Ｒ、２５Ｇ、２５Ｂを励起して各色が発光する。
【００１５】
隔壁２４は、アドレス電極２２Ｒ、２２Ｇ、２２Ｂが延びる方向に形成された隔壁（以下、「縦リブ」とも称す。）と、表示電極（１２、１３）が延びる方向に形成された隔壁（以下、「横リブ」とも称す。）とからなる。すなわち、本実施形態によるプラズマディスプレイパネルは、閉鎖型隔壁構造を有する。
【００１６】
また、隔壁２４は、本発明の特徴に従って隔壁材料として光透過性材料を使用して構成され、光透過性を有する。本実施形態においては、隔壁２４は、透光性のガラスを使用して、従来と同様の方法で製造すれば良い。
【００１７】
蛍光体層２５Ｒ、２５Ｇ、２５Ｂは、アドレス電極２２Ｒの上方に赤色に発光する蛍光体層２５Ｒが形成され、アドレス電極２２Ｇの上方に緑色に発光する蛍光体層２５Ｇが形成され、アドレス電極２２Ｂの上方に青色に発光する蛍光体層２５Ｂが形成されている。言い換えれば、セル対応の隔壁２４内面に塗布されている赤色、緑色、青色の蛍光体層２５Ｒ、２５Ｇ、２５Ｂに対応するようにしてアドレス電極２２Ｒ、２２Ｇ、２２Ｂが配置されている。
【００１８】
ここで、本実施形態におけるプラズマディスプレイパネルは、高解像度の表示を実現するために、表示電極（１２、１３）のすべての間に表示ラインが形成される、ＡＬＩＳ方式のプラズマディスプレイパネルである。すなわち、ＡＬＩＳ方式においては、ある１本の表示電極（１２、１３）が隣接する両側の表示電極とそれぞれ表示ラインを形成することで、２倍の解像度が実現される。
【００１９】
図２は、図１に示したプラズマディスプレイパネルにおける表示面側から見た表示電極（１２、１３）、アドレス電極２２、及び隔壁２４の配置を説明するための図である。
図２に示すように、アドレス電極２２の両側に縦リブ２４が形成されており、この縦リブ２４と交差するように横リブ２４が形成されている。横リブ２４上には表示電極における金属電極（バス電極）１３が形成され、その上に表示電極における透明電極１２が形成されている。
【００２０】
図３は、図２に示したＩ−Ｉ間の断面を模式的に示した図である。この図３において、図１に示した構成要素と同一の構成要素には同一の符号を付し、重複する説明は省略する。
【００２１】
図３において、３は放電空間である。本実施形態において、表示電極における金属電極１３は、表示面側電極１３ａと放電空間側電極１３ｂとが積層されて形成されている。表示面側電極１３ａは、光を反射しにくい（光反射率が低い）光吸収層に相当し、例えばクロム（Ｃｒ）、銅（Ｃｕ）、クロム（Ｃｒ）の順に積層した３層の金属膜で形成されている。また、放電空間側電極１３ｂは、光反射率が高い光反射層に相当し、例えばアルミニウム（Ａｌ）の金属膜で形成されている。なお、放電空間側電極１３ｂは、アルミニウムに限定されず、クロムよりも光反射率が高い材料であれば良い。
【００２２】
上述のように構成したプラズマディスプレイパネルにおいて、対をなす表示電極（１２、１３）間の面放電に伴う紫外線により蛍光体層２５が励起されることによって放電空間３から発する光は、開口部から表示光として出力される。また、隔壁２４側に向かった光は、隔壁２４が光透過性を有するために、隔壁２４上に形成されている金属電極１３に達する。ここで、隔壁２４が光透過性を有するために金属電極１３は発光を遮断する構成となるが、上述したように金属電極１３の放電空間３側に高反射特性をもつアルミニウムの金属膜で形成した電極１３ｂを設けている。したがって、隔壁２４を透過して金属電極１３に達した光は、金属電極１３の電極１３ｂで反射され表示光として利用することが可能となり、表示面における発光効率（輝度）の向上を図ることができる。
【００２３】
（第２の実施形態）
次に、本発明の第２の実施形態について説明する。
以下に説明する第２の実施形態は、ＩＴＯレス構造と呼ばれる、表示電極を金属電極のみで構成し透明電極を使用しないプラズマディスプレイパネルに本発明を適用したものである。
【００２４】
図４は、第２の実施形態による３電極面放電型プラズマディスプレイパネルの構成例を示す分解斜視図である。この図４において、図１に示した構成要素と同一の構成要素には同一の符号を付し、重複する説明は省略する。
図４に示した第２の実施形態によるプラズマディスプレイパネルは、図１に示した第１の実施形態によるプラズマディスプレイパネルとは、表示電極が金属電極３１だけで形成されている点のみが相違し、他の構成は同じである。
【００２５】
図５は、図４に示したプラズマディスプレイパネルにおける表示面側から見た表示電極３１、アドレス電極２２、及び隔壁２４の配置を説明するための図である。
第２の実施形態においては、例えば図５に示すように、横リブ２４上に形成された金属電極３１が放電空間上に配置された金属電極３１とブリッジ等と呼ばれる接続部を介して接続されている。セル対応の放電空間上に配置された金属電極３１により、放電空間での面放電及びアドレス放電が実現される。
【００２６】
図６は、図５に示したＩＩ−ＩＩ間の断面を模式的に示した図である。この図６において、図３及び図４に示した構成要素と同一の構成要素には同一の符号を付し、重複する説明は省略する。
本実施形態において、表示電極を構成する金属電極３１は、表示面側電極３１ａと放電空間側電極３１ｂとが積層されて形成されている。表示面側電極３１ａは、光反射率が低い光吸収層に相当し、例えばクロム−銅−クロムの３層金属膜で形成されている。また、放電空間側電極３１ｂは、光反射率が高い光反射層に相当し、例えばアルミニウムの金属膜で形成されている。なお、放電空間側電極１３ｂは、アルミニウムに限定されず、クロムよりも光反射率が高い材料であれば良い。
【００２７】
第２の実施形態によるプラズマディスプレイパネルにおいては、第１の実施形態と同様に、放電空間３から発する光は、開口部から表示光として出力されるとともに、隔壁２４を透過して金属電極３１に達する。隔壁２４を透過して金属電極３１に達した光は、金属電極３１の電極３１ｂで反射され表示光として利用することが可能となり、表示面における発光効率（輝度）の向上を図ることができる。
【００２８】
なお、上述した第２の実施形態においては、閉鎖型隔壁構造のプラズマディスプレイパネルを一例として示しているが、横リブのない、すなわちストライプ型隔壁構造のプラズマディスプレイパネルであっても同様の効果を得ることができる。
【００２９】
また、上述した第１及び第２の実施形態では、縦リブ及び横リブともに光透過性を有する隔壁２４を一例として示しているが、表示電極が延びる方向に形成された隔壁、すなわち横リブのみ光透過性を有する隔壁としても良い。
【００３０】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００３１】
【図１】第１の実施形態による３電極面放電型プラズマディスプレイパネルの構成例を示す分解斜視図である。
【図２】第１の実施形態によるプラズマディスプレイパネルでの表示面側から見た電極と隔壁の配置を説明するための図である。
【図３】図２に示したＩ−Ｉ間の断面を模式的に示した図である。
【図４】第２の実施形態による３電極面放電型プラズマディスプレイパネルの構成例を示す分解斜視図である。
【図５】第１の実施形態によるプラズマディスプレイパネルでの表示面側から見た電極と隔壁の配置を説明するための図である。
【図６】図５に示したＩＩ−ＩＩ間の断面を模式的に示した図である。
【符号の説明】
【００３２】
１  前面板
２  背面板
３  放電空間
１１  前面ガラス基板
１２  透明電極
１３  金属電極
１３ａ  表示面側電極
１３ｂ  放電空間側電極（光反射層）
１４  誘電体層
１５  保護膜
２１  背面ガラス基板
２２  アドレス電極
２３  誘電体層
２４  隔壁
２５  蛍光体層
３１  金属電極
３１ａ  表示面側電極
３１ｂ  放電空間側電極（光反射層）
【図１】
2008091090.tif 000003
【図２】
2008091090.tif 000004
【図３】
2008091090.tif 000005
【図４】
2008091090.tif 000006
【図５】
2008091090.tif 000007
【図６】
2008091090.tif 000008